(57)【要約】【課題】記録型リムーバルメディアからラストポジションに対応する情報が削除された場合でも、所定の位置から情報の再生ができるようにする。【解決手段】直近の再生位置を表すラストポジション情報をラストポジションメモリ１３に記憶するとともに、ハードディスク２３から音楽ファイルが削除されたときにその音楽ファイルを表す削除ポジション情報を削除ポジションメモリ２５に記憶し、ハードディスクドライブ２０がヘッドユニット１０に再装着されたときにラストポジション情報と削除ポジション情報とを照合し、ラストポジションの曲が削除されたことを検出したときに、削除された曲の次の曲から再生を開始するように制御することにより、ハードディスク２３からラストポジションの曲が削除された場合でも、そのことをヘッドユニット１０で認識して、それに応じて他の曲から再生を開始することができるようにする。【選択図】　　　　図１
2004095014.tif 000002
【特許請求の範囲】
【請求項１】
記録型リムーバルメディアを着脱可能に構成された情報再生装置において、直近の再生位置を表すラストポジション情報を記憶し、上記記録型リムーバルメディアが上記情報再生装置から抜かれたときにも上記ラストポジション情報をクリアせずに保持する第１の記憶手段と、
上記記録型リムーバルメディアにおいて、情報が削除されたときにその削除された情報を表す削除ポジション情報を記憶する第２の記憶手段と、
上記第１の記憶手段に記憶されている上記ラストポジション情報と、上記第２の記憶手段に記憶されている上記削除ポジション情報とに基づいて、ラストポジションに対応する情報が上記記録型リムーバルメディアから削除されているかどうかを検出する削除検出手段と、
上記削除検出手段により上記ラストポジションに対応する情報の削除が検出されないときは、上記第１の記憶手段に記憶されているラストポジション情報に基づいて上記ラストポジションに対応する情報から再生を開始するとともに、上記削除検出手段により上記ラストポジションに対応する情報の削除が検出されたときは、当該削除された情報以外の情報から再生を開始するように制御する再生制御手段とを備えたことを特徴とするリムーバルメディアの再生方式。
【請求項２】
上記削除検出手段により上記ラストポジションに対応する情報の削除が検出されたときに、そのことをユーザに報知する報知手段を備えたことを特徴とする請求項１に記載のリムーバルメディアの再生方式。
【請求項３】
上記再生制御手段は、上記削除検出手段により上記ラストポジションに対応する情報の削除が検出されたときに、上記削除された情報の次の情報から再生を開始するように制御することを特徴とする請求項１に記載のリムーバルメディアの再生方式。
【請求項４】
上記再生制御手段は、上記削除検出手段により上記ラストポジションに対応する情報の削除が検出されたときに、上記削除された情報の次のフォルダ内にある情報から再生を開始するように制御することを特徴とする請求項１に記載のリムーバルメディアの再生方式。
【請求項５】
記録型リムーバルメディアを着脱可能に構成された情報再生装置において、直近の再生位置を表すラストポジション情報を記憶し、上記記録型リムーバルメディアが上記情報再生装置から抜かれたときにも上記ラストポジション情報をクリアせずに保持する第１の記憶手段と、
上記記録型リムーバルメディアにおいて、ラストポジションに対応する情報が削除されたときにその旨を表す削除情報を記憶する第２の記憶手段と、
上記第２の記憶手段に記憶されている上記削除情報に基づいて、上記ラストポジションに対応する情報が上記記録型リムーバルメディアから削除されているかどうかを検出する削除検出手段と、
上記削除検出手段により上記ラストポジションに対応する情報の削除が検出されないときは、上記第１の記憶手段に記憶されているラストポジション情報に基づいて上記ラストポジションに対応する情報から再生を開始するとともに、上記削除検出手段により上記ラストポジションに対応する情報の削除が検出されたときは、当該削除された情報以外の情報から再生を開始するように制御する再生制御手段とを備えたことを特徴とするリムーバルメディアの再生方式。
【請求項６】
上記削除情報に加えて、上記削除された情報以外で次に再生すべき情報を表すポジション情報を上記第２の記憶手段に記憶するようにしたことを特徴とする請求項５に記載のリムーバルメディアの再生方式。
【発明の詳細な説明】
【０００１】
【発明の属する技術分野】
本発明はリムーバルメディアの再生方式に関し、特に、再生装置本体から着脱して情報の書き換えが可能な記録媒体について、再生装置本体から記録媒体を抜いた後で再装着した場合に、抜かれる前に再生していた位置から再生を開始するための方式に用いて好適なものである。
【０００２】
【従来の技術】
従来、音楽等の情報を再生する再生装置の殆どは、音楽が記録されたメディアを装置本体に着脱可能に構成されている。着脱可能なメディアの中には、ＭＤ（ミニディスク）、ＣＤ−ＲＷ（書換可能型コンパクトディスク）、ＤＶＤ±ＲＷやＤＶＤ−ＲＡＭ（書換可能型デジタル多用途ディスク）、ＨＤ（ハードディスク）、メモリスティックのような半導体メモリ等のように、情報を自由に読み書きできるように成されたもの（以下、記録型リムーバルメディアと言う）が存在する。
【０００３】
また、この種の再生装置において、電源が切られる直前に聴いていた位置（以下、ラストポジションと言う）をメモリに記憶しておき、再び電源が投入されたときに、そのラストポジションから続けて音楽を再生する機能を搭載したものが提供されている。
【０００４】
【発明が解決しようとする課題】
上述のラストポジション再生機能を搭載した再生装置では、メディアが装置本体から抜かれると、ラストポジションメモリはクリアされる。これは、次にも同じメディアが挿入されるとは限らず、異なるメディアが挿入されることもあるからである。特に、ＭＤ、ＣＤ、ＤＶＤのようなメディアの場合には、再生装置にその都度異なるメディアが挿入される可能性が高い。
【０００５】
これに対して、ハードディスクのようなメディアの場合は、前回と同じものが再び挿入される可能性が高い。また、ハードディスクには大量の情報を記憶することができるため、再装着時にラストポジションから続けて再生できるようにすることが望まれる。そこで、再生装置からハードディスクのようなメディアが抜かれてもラストポジションメモリをクリアしないようにすることが考えられる。
【０００６】
しかしながら、抜かれたメディア内の情報が書き換えられて、ラストポジションに対応する情報がメディアから削除されることがある。この場合には、ラストポジション情報を装置本体のメモリに残しておいたにもかかわらず、それに対応する情報がメディア内に存在しないため、ラストポジションから続けて再生することができなくなってしまうという問題が生じる。
【０００７】
本発明は、このような問題を解決するために成されたものであり、記録型リムーバルメディアからラストポジションに対応する情報が削除された場合でも、所定の位置から情報の再生ができるようにすることを目的とする。
【０００８】
【課題を解決するための手段】
上記した課題を解決するために、本発明によるリムーバルメディアの再生方式では、情報再生装置の本体側においては、直近の再生位置を表すラストポジション情報をメモリに記憶し、記録型リムーバルメディアが抜かれたときにもこれをクリアせずに保持する。一方、装置本体に着脱される記録型リムーバルメディア側においては、情報が削除されたときにその削除された情報を表す削除ポジション情報をメモリに記憶する。そして、記録型リムーバルメディアが装置本体に装着されたときに、ラストポジション情報と削除ポジション情報とを照合することによってラストポジションに対応する情報の有無を検出し、ラストポジションに対応する情報の削除が検出されたときには、当該削除された情報以外の情報から再生を開始するように制御する。
【０００９】
本発明は上記技術手段より成るので、情報再生装置本体と記録型リムーバルメディアとの双方に記憶されたポジション情報に基づいて、記録型リムーバルメディアからラストポジションに対応する情報が削除されたことを情報再生装置で検出することが可能となり、当該情報が削除されていた場合でも次のアクション（削除された情報以外からの再生開始、ユーザへの通報等）を提供することが可能となる。
【００１０】
また、記録型リムーバルメディア側のメモリに削除ポジション情報を記憶する代わりに、ラストポジションに対応する情報が削除された旨を表す削除情報を記憶するようにしても良い。この場合にも、記録型リムーバルメディアからラストポジションに対応する情報が削除されたことを情報再生装置で検出することが可能となる。
【００１１】
さらに、上述の削除情報に加えて、削除された情報以外で次に再生すべき情報を表すポジション情報を記憶するようにしても良い。この場合は、情報再生装置側では、記録型リムーバルメディアからラストポジションに対応する情報が削除されていたときに、記録型リムーバルメディア側のメモリに記憶されたポジション情報に従って再生を開始することが可能となる。
【００１２】
【発明の実施の形態】
以下、本発明の一実施形態を図面に基づいて説明する。
図１は、本発明によるリムーバルメディアの再生方式を実施した車載オーディオ装置の要部構成を示す図である。また、図２は、本実施形態の車載オーディオ装置を含むシステム全体の構成を示す図である。
【００１３】
図２に示すように、本実施形態の車載オーディオ装置は、音楽の再生を含む装置全体の制御を行うヘッドユニット１０と、ヘッドユニット１０に着脱可能なハードディスクドライブ２０とを備えて構成されている。ハードディスクドライブ２０は図示しないハードディスクを内部に備えており、複数曲の音楽ファイルを記憶している。
【００１４】
このハードディスクドライブ２０は、パーソナルコンピュータ（以下、パソコン）３０にも着脱可能であり、パソコン３０にインストールされたアプリケーションを利用してハードディスク内の音楽ファイルを任意に編集（音楽ファイルの追加や削除等）することができるようになっている。
【００１５】
図１に示すように、ヘッドユニット１０は、システムコントローラ１１、ラストポジション情報記録部１２、ラストポジションメモリ１３、情報検出部１４、Ｄ／Ａ変換器１５およびアンプ１６を備えて構成されている。また、ハードディスクドライブ２０は、当該ハードディスクドライブ２０の作動を制御する制御部２１、サーボドライバ２２、ハードディスク２３、削除ポジション情報記録部２４、削除ポジションメモリ２５および応答部２６を備えて構成されている。
【００１６】
図１に示すオーディオ装置では、システムコントローラ１１が制御部２１に制御信号を出力することにより、ヘッドユニット１０とハードディスクドライブ２０とを全体で一つのオーディオプレーヤとして統一的に動作させることができるようにしている。すなわち、ハードディスクドライブ２０がヘッドユニット１０に装着されたときに、システムコントローラ１１と制御部２１とが協動して、ハードディスク２３に記録されている音楽ファイルを再生する。
【００１７】
ヘッドユニット１０内のラストポジション情報記録部１２は、システムコントローラ１１からの指示に従って、ラストポジションメモリ１３にラストポジション情報を記憶する。ラストポジション情報は、ハードディスク２３における直近の再生位置を表す情報であり、再生している音楽ファイル（曲）を特定するためのファイル名、その曲の最初からの再生時間等の情報を含んでいる。
【００１８】
このラストポジション情報は、例えば数秒おきにラストポジションメモリ１３に格納する。この他、ヘッドユニット１０の電源が切られたとき、ヘッドユニット１０からハードディスクドライブ２０が抜かれたときにのみラストポジション情報を記録するようにしても良い。また、新しい音楽ファイル（曲）に再生が切り替わるたびにラストポジション情報を記録するようにしても良い（この場合、曲の再生時間は記録しない）。本実施形態では、ラストポジション情報の記録タイミングについては特に限定しない。
【００１９】
ラストポジションメモリ１３は不揮発性のメモリであり、ヘッドユニット１０の電源がオフとされても、記憶されているラストポジション情報をそのまま保持する。また、本実施形態においては、ハードディスクドライブ２０がヘッドユニット１０から抜かれたときでもラストポジションメモリ１３はクリアせず、記憶されているラストポジション情報をそのまま保持しておく。
【００２０】
また、ハードディスクドライブ２０内の制御部２１は、システムコントローラ１１から供給される制御信号に応じて、サーボドライバ２２の動作を制御し、ハードディスク２３から音楽ファイルを読み出す。読み出された音楽ファイルは、ヘッドユニット１０内のＤ／Ａ変換器１５を介してアンプ１６に出力される。アンプ１６は、Ｄ／Ａ変換器１５より供給されたオーディオ信号を増幅し、スピーカ４０から出力する。
【００２１】
ハードディスクドライブ２０内の削除ポジション情報記録部２４は、制御部２１から供給される指示に従って、削除ポジションメモリ２５に削除ポジション情報を記憶する。削除ポジション情報は、ハードディスク２３から削除された音楽ファイル（曲）を特定するためのファイル名等の情報を含んでいる。
【００２２】
音楽ファイルの削除は、例えば、ハードディスクドライブ２０がパソコン３０に装着されたときに、パソコン３０上で稼動するアプリケーションを通じて行われる。また、ハードディスクドライブ２０がヘッドユニット１０に装着された状態でも、図示しない操作部を通じて行われることがある。前者の場合は、制御部２１がパソコン３０のアプリケーションから指示を受けて、削除ポジション情報記録部２４により削除ポジション情報を記録する。後者の場合は、制御部２１がシステムコントローラ１１から指示を受けて、削除ポジション情報記録部２４により削除ポジション情報を記録する。
【００２３】
ヘッドユニット１０内のシステムコントローラ１１およびハードディスクドライブ２０内の制御部２１は、情報検出部１４と応答部２６とを用いて、ラストポジションメモリ１３に記憶されているラストポジション情報と、削除ポジションメモリ２５に記憶されている削除ポジション情報とを照合し、ラストポジションに対応する音楽ファイル（曲）がハードディスク２３から削除されているかどうかを検出する。
【００２４】
システムコントローラ１１は、ラストポジションに対応する曲がハードディスク２３から削除されていることを検出したときに、制御部２１に指示を出して、当該削除された曲の次の曲から再生を開始するように制御する。また、ラストポジションに対応する曲が削除されたことをディスプレイ５０に表示することによってユーザに報知する。
【００２５】
次に、上記のように構成した本実施形態によるオーディオ装置のラストポジション再生に関する動作を説明する。図３はヘッドユニット１０側の動作を示すフローチャート、図４はハードディスクドライブ２０側の動作を示すフローチャートである。
【００２６】
図３において、ラストポジション情報記録部１２は、ラストポジションメモリ１３にラストポジション情報を記録する（ステップＳ１）。次にシステムコントローラ１１は、ヘッドユニット１０からハードディスクドライブ２０が抜かれたかどうかを判定する（ステップＳ２）。抜かれていない場合はステップＳ１に戻り、次のタイミングのラストポジション情報をラストポジションメモリ１３に記録する。
【００２７】
一方、ヘッドユニット１０からハードディスクドライブ２０が抜かれた場合には、その後ハードディスクドライブ２０がヘッドユニット１０に再装着されるまで待機する（ステップＳ３）。ハードディスクドライブ２０がヘッドユニット１０に再装着されると、システムコントローラ１１は、情報検出部１４を制御してラストポジションメモリ１３からラストポジション情報を読み出し、ハードディスクドライブ２０の制御部２１に対してラストポジション再生を指示する（ステップＳ４）。
【００２８】
そして、システムコントローラ１１は、ラストポジション再生の指示に対してハードディスクドライブ２０から応答が返ってきたかどうかを判定する（ステップＳ５）。応答が返ってこない場合は、図４を用いて後述するように、ラストポジション再生が普通に行えたということなので、以降は何もせずにステップＳ１に戻る。一方、ハードディスクドライブ２０から応答が返ってきた場合、システムコントローラ１１は、ラストポジションの次の曲の再生を制御部２１に指示した後（ステップＳ６）、ステップＳ１に戻る。
【００２９】
また、図４において、制御部２１は、ヘッドユニット１０のシステムコントローラ１１から音楽ファイルの再生指示があったかどうかを判定する（ステップＳ１１）。再生指示がない場合はさらに、ハードディスク２３から何らかの音楽ファイルが削除されたかどうかを判定する（ステップＳ１２）。
【００３０】
ファイルの削除もない場合はステップＳ１１に戻り、同様の処理を続ける。何らかの音楽ファイルがハードディスク２３から削除された場合、削除ポジション情報記録部２４は、制御部２１からの指示に従って削除ポジションメモリ２５に削除ポジション情報を記録する（ステップＳ１３）。その後、ステップＳ１１に戻り、同様の処理を続ける。
【００３１】
上記ステップＳ１１で音楽ファイルの再生指示があった場合、制御部２１は、応答部２６を制御して削除ポジションメモリ２５から削除ポジション情報を読み出し、その削除ポジション情報と再生指示中に含まれるラストポジション情報とを照合する（ステップＳ１４）。
【００３２】
そして、ラストポジション情報により指定された音楽ファイルがハードディスク２３から削除されているかどうかを判定する（ステップＳ１５）。ここでは、ラストポジション情報で示される音楽ファイルと削除ポジション情報で示される音楽ファイルとが一致する場合に、ラストポジションに対応する音楽ファイルが削除されていると判断する。
【００３３】
ここで、ラストポジション情報により指定された音楽ファイルがハードディスク２３から削除されていない場合、制御部２１はサーボドライバ２２を制御してその音楽ファイルをハードディスク２３から読み出し、それをヘッドユニット１０に供給して再生する（ステップＳ１６）。一方、ラストポジションの音楽ファイルが削除されていた場合、制御部２１は応答部２６を制御して、ラストポジションに対応する音楽ファイルが削除されていたことを、ヘッドユニット１０に返答する（ステップＳ１７）。
【００３４】
本実施形態ではオーディオ装置をこのように構成したので、ヘッドユニット１０からハードディスクドライブ２０を単に外して再度装着した場合、あるいは、ハードディスク２３の中身を編集したが音楽ファイルの削除は行っていないような場合には、ハードディスクドライブ２０を外す前に記憶していたラストポジションから通常通り再生を行う。
【００３５】
これに対して、ハードディスクドライブ２０をパソコン３０に装着して何らかの音楽ファイルを削除した後、ヘッドユニット１０に再装着したような場合、ヘッドユニット１０はハードディスクドライブ２０にラストポジション再生の指示を出すが、ハードディスクドライブ２０はその返答で、ラストポジションの音楽ファイルが削除されたことを通知する。これを受けて、ヘッドユニット１０は、ラストポジションの音楽ファイルが削除されたことをディスプレイ５０を通じてユーザに報知するとともに、次の曲から再生を開始する。
【００３６】
以上詳しく説明したように、本実施形態によれば、ハードディスク２３からラストポジションに対応する曲が削除された場合でも、そのことをヘッドユニット１０で認識することが可能となり、それに応じて次の曲から再生を開始することができるようになる。
【００３７】
図５は、本実施形態による車載オーディオ装置の他の構成例を示す図である。この図５において、図１に示した構成要素と同一の機能を有する構成要素には同一の符号を付している。図５に示す構成例において、ハードディスクドライブ２０内の削除ポジション情報記録部６２は、上述した削除ポジション情報をハードディスク２３内の一部領域に記録する。また、ヘッドユニット１０内の情報検出部６１は、ラストポジションメモリ１３およびハードディスク２３からラストポジション情報および削除ポジション情報を読み出す。
【００３８】
この図５に示す構成において、システムコントローラ１１は、情報検出部６１を通じてラストポジションメモリ１３からラストポジション情報を読み出すとともに、制御部２１を通じてハードディスク２３から削除ポジション情報を読み出し、双方のポジション情報を照合する。そして、ラストポジションに対応する音楽ファイル（曲）がハードディスク２３から削除されているかどうかを検出する。
【００３９】
システムコントローラ１１は、ラストポジションに対応する曲がハードディスク２３から削除されていないときは、制御部２１を制御してそのラストポジションの曲を再生するようにする。一方、ラストポジションに対応する曲がハードディスク２３から削除されているときは、制御部２１を制御して、当該削除された曲の次の曲から再生を開始するようにする。また、ラストポジションに対応する音楽ファイルが削除されたことをディスプレイ５０に表示することによってユーザに報知する。
【００４０】
次に、上記図５のように構成したオーディオ装置のラストポジション再生に関する動作を説明する。図６はヘッドユニット１０側の動作を示すフローチャート、図７はハードディスクドライブ２０側の動作を示すフローチャートである。
【００４１】
図６において、ラストポジション情報記録部１２は、ラストポジションメモリ１３にラストポジション情報を記録する（ステップＳ２１）。次にシステムコントローラ１１は、ヘッドユニット１０からハードディスクドライブ２０が抜かれたかどうかを判定する（ステップＳ２２）。抜かれていない場合はステップＳ２１に戻り、次のタイミングのラストポジション情報をラストポジションメモリ１３に記録する。
【００４２】
一方、ヘッドユニット１０からハードディスクドライブ２０が抜かれた場合には、その後ハードディスクドライブ２０がヘッドユニット１０に再装着されるまで待機する（ステップＳ２３）。ハードディスクドライブ２０がヘッドユニット１０に再装着されると、システムコントローラ１１は、情報検出部６１を制御してラストポジションメモリ１３からラストポジション情報を読み出すとともに、ハードディスク２３から削除ポジション情報を読み出す。そして、読み出した双方のポジション情報を照合する（ステップＳ２４）。
【００４３】
さらに、システムコントローラ１１は、上記照合の結果、ラストポジションに対応する音楽ファイルがハードディスク２３から削除されているかどうかを判定する（ステップＳ２５）。ここでは、ラストポジション情報で示される音楽ファイルと削除ポジション情報で示される音楽ファイルとが一致する場合に、ラストポジションに対応する音楽ファイルが削除されていると判断する。
【００４４】
ラストポジションに対応する音楽ファイルが削除されていない場合、システムコントローラ１１は、ラストポジションメモリ１３から読み出したラストポジション情報に従って制御部２１を制御し、ラストポジション再生を指示する（ステップＳ２６）。一方、ラストポジションに対応する音楽ファイルが削除されていた場合、システムコントローラ１１は、ラストポジションの次の曲の再生を制御部２１に指示する（ステップＳ２７）。
【００４５】
また、図７において、制御部２１は、ヘッドユニット１０のシステムコントローラ１１から音楽ファイルの再生指示があったかどうかを判定する（ステップＳ３１）。再生指示がない場合はさらに、ハードディスク２３から何らかの音楽ファイルが削除されたかどうかを判定する（ステップＳ３２）。
【００４６】
ファイルの削除もない場合はステップＳ３１に戻り、同様の処理を続ける。何らかの音楽ファイルがハードディスク２３から削除された場合、削除ポジション情報記録部６２は、制御部２１からの指示に従ってハードディスク２３に削除ポジション情報を記録する（ステップＳ３３）。その後、ステップＳ３１に戻り、同様の処理を続ける。
【００４７】
上記ステップＳ３１で音楽ファイルの再生指示があった場合、制御部２１は、サーボドライバ２２を制御して指示に係る音楽ファイルの再生を行う。このとき与えられた再生指示が、図６のステップＳ２６で行われた再生指示である場合には、ラストポジションに対応する曲が再生される。また、図６のステップＳ２７で行われた再生指示である場合には、ラストポジションの次の曲が再生される。
【００４８】
このような図５に示す構成例によれば、ポジション情報の照合処理を含む複雑な制御系をハードディスクドライブ２０内に設けなくても、本実施形態によるラストポジション再生を実現することができる。
【００４９】
なお、上記実施形態では、ハードディスク２３から削除された音楽ファイル（曲）を特定するためのファイル名等の情報を削除ポジション情報としてハードディスクドライブ２０に記憶する例について説明したが、ラストポジションに対応する曲が削除された旨を表す削除情報をハードディスクドライブ２０に記憶するようにしても良い。
【００５０】
このようにすれば、ハードディスクドライブ２０においてラストポジション情報との照合を行うことなく、ラストポジションに対応する曲が削除された旨の応答をヘッドユニット１０に返すことができる。ただし、この場合には、削除情報を記憶する際に、ハードディスク２３から削除された曲がラストポジションに対応するものかどうかを判断するために、ハードディスクドライブ２０にもラストポジション情報を記憶する必要がある。
【００５１】
さらに、上述の削除情報に加えて、削除された曲の次の曲を表すポジション情報をハードディスクドライブ２０に記憶するようにしても良い。この場合は、ハードディスクドライブ２０からヘッドユニット１０に応答を返す際に、削除された曲の次の曲を表すポジション情報も通知する。このようにした場合、ヘッドユニット１０側では、ハードディスクドライブ２０に記憶されたポジション情報に従って再生を開始することが可能となる。
【００５２】
また、上記実施形態では、ラストポジションの曲が削除された場合にその次の曲から再生を開始する例について説明したが、本発明はこれに限定されない。例えば、削除されたラストポジションの曲以外の中からランダムに選出した曲から再生を開始したり、削除されたラストポジションの曲の次のフォルダ内にある曲から再生を開始したりするようにしても良い。
【００５３】
ハードディスク２３内では、図８に示すように、複数の音楽ファイルがツリー構造（ディレクトリ構造）で管理されている。各々の音楽ファイルには、ツリーのルートに近い方から優先的に昇順のファイル番号が割り振られている。図８のツリー構造で例えばファイル番号“２”の音楽ファイルがラストポジションで、これがハードディスク２３から削除されたとする。ラストポジションの次のファイルから再生を開始する上述の例では、ファイル番号“３”の音楽ファイルが再生されることとなる。これに対し、ラストポジションの次のフォルダから再生を開始する例では、次のフォルダ内に属するファイル番号“４”の音楽ファイルが再生されることとなる。
【００５４】
また、上記実施形態では、記録型リムーバルメディアの例としてハードディスクドライブ２０を挙げて説明したが、本発明はこれに限定されるものではない。例えば、ＭＤ、ＣＤ−ＲＷ、ＤＶＤ±ＲＷやＤＶＤ−ＲＡＭ、メモリスティックのようなメディアを用いても良い。
【００５５】
また、上記実施形態では、削除された音楽ファイルを特定するための情報としてファイル名を用いる例について説明したが、ファイル番号、当該音楽ファイルが記録されているアドレスなど、他の情報を用いても良い。
また、上記実施形態では、本発明によるリムーバルメディアの再生方式を車載オーディオ装置に適用する例について説明したが、適用するオーディオ装置は車載用に限定されるものではない。
【００５６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００５７】
【発明の効果】
本発明は上述したように、情報再生装置の本体と記録型リムーバルメディアとの双方においてポジション情報等の記憶管理を行い、双方に記憶されたポジション情報等に基づいてラストポジションに対応する情報の有無を検出し、ラストポジションに対応する情報の削除が検出されたときには、当該削除された情報以外の情報から再生を開始するようにしたので、記録型リムーバルメディアからラストポジションに対応する情報が削除された場合でも、そのことを情報再生装置で認識することが可能となり、それに応じて他の情報から再生を開始することができるようになる。
【図面の簡単な説明】
【図１】本発明によるリムーバルメディアの再生方式を実施した車載オーディオ装置の要部構成例を示す図である。
【図２】本実施形態の車載オーディオ装置を含むシステム全体の構成を示す図である。
【図３】図１に示したヘッドユニットにおけるラストポジション再生に関する動作を示すフローチャートである。
【図４】図１に示したハードディスクドライブにおけるラストポジション再生に関する動作を示すフローチャートである。
【図５】本発明によるリムーバルメディアの再生方式を実施した車載オーディオ装置の他の要部構成例を示す図である。
【図６】図５に示したヘッドユニットにおけるラストポジション再生に関する動作を示すフローチャートである。
【図７】図５に示したハードディスクドライブにおけるラストポジション再生に関する動作を示すフローチャートである。
【図８】ハードディスク内に記録される音楽ファイルのツリー構造を示す図である。
【符号の説明】
１０　ヘッドユニット
１１　システムコントローラ
１２　ラストポジション情報記録部
１３　ラストポジションメモリ
１４　情報検出部
１５　Ｄ／Ａ変換器
１６　アンプ
２０　ハードディスクドライブ
２１　制御部
２２　サーボドライバ
２３　ハードディスク
２４　削除ポジション情報記録部
２５　削除ポジションメモリ
２６　応答部
６１　情報検出部
６２　削除ポジション情報記録部
【図１】
2004095014.tif 000003
【図２】
2004095014.tif 000004
【図３】
2004095014.tif 000005
【図４】
2004095014.tif 000006
【図５】
2004095014.tif 000007
【図６】
2004095014.tif 000008
【図７】
2004095014.tif 000009
【図８】
2004095014.tif 000010